(57)【要約】【課題】利用者の訪問効率を向上させる。【解決手段】訪問支援装置は、自装置の現在位置を示す位置情報を取得する自装置位置取得部と、訪問先の位置情報を取得する訪問先位置取得部と、地図データを取得する地図取得部と、前記自装置位置取得部が取得した自装置の位置情報と、前記訪問先位置取得部が取得した訪問先の位置情報とに基づいて、当該訪問先への訪問がなされたか否かを判定する判定部と、前記訪問先位置取得部が取得した訪問先の位置情報と、前記判定部による当該訪問先への訪問についての判定結果とに基づいて、前記地図取得部が取得した地図データに基づく地図画像上の当該訪問先を示す位置に当該訪問先への訪問がなされたか否かの情報を表示部に表示させる表示制御部と、を備える。【選択図】図１
2015219661.tif 000002
【特許請求の範囲】
【請求項１】
自装置の現在位置を示す位置情報を取得する自装置位置取得部と、
訪問先の位置情報を取得する訪問先位置取得部と、
地図データを取得する地図取得部と、
前記自装置位置取得部が取得した自装置の位置情報と、前記訪問先位置取得部が取得した訪問先の位置情報とに基づいて、当該訪問先への訪問がなされたか否かを判定する判定部と、
前記訪問先位置取得部が取得した訪問先の位置情報と、前記判定部による当該訪問先への訪問についての判定結果とに基づいて、前記地図取得部が取得した地図データに基づく地図画像上の当該訪問先を示す位置に当該訪問先への訪問がなされたか否かの情報を表示部に表示させる表示制御部と、
を備えることを特徴とする訪問支援装置。
【請求項２】
前記訪問支援装置は、
訪問先を示す情報に関連付けられた情報であって、当該訪問先への訪問に関する時間情報を取得する時間取得部、
をさらに備え、
前記表示制御部は、前記訪問先位置取得部が取得した訪問先の位置情報と、前記時間取得部が取得した時間情報のうち当該訪問先に関連付けられている前記時間情報とに基づいて、当該訪問先の地図上の位置に当該訪問先への訪問に関する時間情報を前記表示部に表示させる、
ことを特徴とする請求項１に記載の訪問支援装置。
【請求項３】
前記訪問支援装置は、
位置情報と関連付けられているマーカーを検出することにより自装置の現在位置を示す位置情報を検出する検出部、
をさらに備え、
前記自装置位置取得部は、前記検出部が検出した自装置の現在位置を示す位置情報を取得する、
ことを特徴とする請求項１または請求項２に記載の訪問支援装置。
【請求項４】
訪問支援装置が、自装置の現在位置を示す位置情報を取得する自装置位置取得過程と、
訪問支援装置が、訪問先の位置情報を取得する訪問先位置取得過程と、
訪問支援装置が、地図データを取得する地図取得過程と、
訪問支援装置が、前記自装置位置取得過程において取得した自装置の位置情報と、前記訪問先位置取得過程において取得した訪問先の位置情報とに基づいて、当該訪問先への訪問がなされたか否かを判定する判定過程と、
訪問支援装置が、前記訪問先位置取得過程において取得した訪問先の位置情報と、前記判定過程における当該訪問先への訪問についての判定結果とに基づいて、前記地図取得過程において取得した地図データに基づく地図画像上の当該訪問先を示す位置に当該訪問先への訪問がなされたか否かの情報を表示部に表示させる表示制御過程と、
を含むことを特徴とする訪問支援方法。
【請求項５】
訪問支援装置のコンピュータに、
自装置の現在位置を示す位置情報を取得する自装置位置取得手順、
訪問先の位置情報を取得する訪問先位置取得手順、
地図データを取得する地図取得手順、
前記自装置位置取得手順において取得した自装置の位置情報と、前記訪問先位置取得手順において取得した訪問先の位置情報とに基づいて、当該訪問先への訪問がなされたか否かを判定する判定手順、
前記訪問先位置取得手順において取得した訪問先の位置情報と、前記判定手順における当該訪問先への訪問についての判定結果とに基づいて、前記地図取得手順において取得した地図データに基づく地図画像上の当該訪問先を示す位置に当該訪問先への訪問がなされたか否かの情報を表示部に表示させる表示制御手順、
を実行させるためのプログラム。
【発明の詳細な説明】
【技術分野】
【０００１】
本発明は、訪問支援装置、訪問支援方法、およびプログラムに関する。
【背景技術】
【０００２】
近年、営業活動などを支援するために訪問に関する情報を提示する装置が提案されている（例えば、特許文献１）。利用者は、このような装置を用いて訪問がなされた日時や訪問者の氏名などの情報を認識することにより、戦略的に訪問を行うことができる。
【先行技術文献】
【特許文献】
【０００３】
【特許文献１】特開２００５−７８４０１号公報
【発明の概要】
【発明が解決しようとする課題】
【０００４】
しかしながら、上述のような装置では、訪問先の位置関係を把握しにくいという課題があった。そのため、例えば、訪問先への訪問期限など、訪問先の位置関係の他に、訪問の戦略を立てる上で鑑みるべき要因が複数ある場合、各訪問先を効率良く訪問できないことがあった。すなわち、上述のような装置では、利用者の訪問効率を向上させることができなかった。
【０００５】
本発明は上記の点に鑑みてなされたものであり、利用者の訪問効率を向上させることができる訪問支援装置、訪問支援方法、およびプログラムを提供する。
【課題を解決するための手段】
【０００６】
（１）本発明は上記の課題を解決するためになされたものであり、本発明の一態様は、自装置の現在位置を示す位置情報を取得する自装置位置取得部と、訪問先の位置情報を取得する訪問先位置取得部と、地図データを取得する地図取得部と、前記自装置位置取得部が取得した自装置の位置情報と、前記訪問先位置取得部が取得した訪問先の位置情報とに基づいて、当該訪問先への訪問がなされたか否かを判定する判定部と、前記訪問先位置取得部が取得した訪問先の位置情報と、前記判定部による当該訪問先への訪問についての判定結果とに基づいて、前記地図取得部が取得した地図データに基づく地図画像上の当該訪問先を示す位置に当該訪問先への訪問がなされたか否かの情報を表示部に表示させる表示制御部と、を備えることを特徴とする訪問支援装置である。
【０００７】
（２）また、本発明の一態様は、（１）に記載の前記訪問支援装置が、訪問先を示す情報に関連付けられた情報であって、当該訪問先への訪問に関する時間情報を取得する時間取得部、をさらに備え、前記表示制御部は、前記訪問先位置取得部が取得した訪問先の位置情報と、前記時間取得部が取得した時間情報のうち当該訪問先に関連付けられている前記時間情報とに基づいて、当該訪問先の地図上の位置に当該訪問先への訪問に関する時間情報を前記表示部に表示させる、ことを特徴とする。
【０００８】
（３）また、本発明の一態様は、（１）または（２）に記載の前記訪問支援装置が、位置情報と関連付けられているマーカーを検出することにより自装置の現在位置を示す位置情報を検出する検出部、をさらに備え、前記自装置位置取得部は、前記検出部が検出した自装置の現在位置を示す位置情報を取得する、ことを特徴とする。
【０００９】
（４）また、本発明の一態様は、訪問支援装置が、自装置の現在位置を示す位置情報を取得する自装置位置取得過程と、訪問支援装置が、訪問先の位置情報を取得する訪問先位置取得過程と、訪問支援装置が、地図データを取得する地図取得過程と、訪問支援装置が、前記自装置位置取得過程において取得した自装置の位置情報と、前記訪問先位置取得過程において取得した訪問先の位置情報とに基づいて、当該訪問先への訪問がなされたか否かを判定する判定過程と、訪問支援装置が、前記訪問先位置取得過程において取得した訪問先の位置情報と、前記判定過程における当該訪問先への訪問についての判定結果とに基づいて、前記地図取得過程において取得した地図データに基づく地図画像上の当該訪問先を示す位置に当該訪問先への訪問がなされたか否かの情報を表示部に表示させる表示制御過程と、を含むことを特徴とする訪問支援方法である。
【００１０】
（５）また、本発明の一態様は、訪問支援装置のコンピュータに、自装置の現在位置を示す位置情報を取得する自装置位置取得手順、訪問先の位置情報を取得する訪問先位置取得手順、地図データを取得する地図取得手順、前記自装置位置取得手順において取得した自装置の位置情報と、前記訪問先位置取得手順において取得した訪問先の位置情報とに基づいて、当該訪問先への訪問がなされたか否かを判定する判定手順、前記訪問先位置取得手順において取得した訪問先の位置情報と、前記判定手順における当該訪問先への訪問についての判定結果とに基づいて、前記地図取得手順において取得した地図データに基づく地図画像上の当該訪問先を示す位置に当該訪問先への訪問がなされたか否かの情報を表示部に表示させる表示制御手順、を実行させるためのプログラムである。
【発明の効果】
【００１１】
本発明によれば、利用者の訪問効率を向上させることができる。
【図面の簡単な説明】
【００１２】
【図１】本発明の第１の実施形態に係る訪問支援装置の概略機能構成の一例を示すブロック図である。
【図２】本発明の第１の実施形態に係る訪問先位置情報の一例を示す図である。
【図３】本発明の第１の実施形態に係る訪問情報の一例を示す図である。
【図４】本発明の第１の実施形態に係る訪問支援装置による訪問判定処理の流れの一例を示すフローチャートである。
【図５】本発明の第１の実施形態に係る訪問支援装置による表示の態様の第１例を示す図である。
【図６】本発明の第１の実施形態に係る訪問支援装置による表示の態様の第２例を示す図である。
【図７】本発明の第１の実施形態に係る訪問支援装置による表示の態様の第３例を示す図である。
【図８】本発明の第２の実施形態に係る訪問支援システムの概略機能構成の一例を示すブロック図である。
【発明を実施するための形態】
【００１３】
以下、本発明の実施形態について説明する。まず、第１の実施形態では、本発明の実施において、訪問支援装置が端末装置によって構成される場合について説明する。次に、第２の実施形態では、本発明の実施において、訪問支援システムが端末装置とサーバ装置とにより構成される場合について説明する。
［第１の実施形態］
以下、図面を参照しながら本発明の第１の実施形態について説明する。
本実施形態に係る訪問支援装置は、地図上の訪問先の位置に当該訪問先への訪問がなされたか否かの情報を表示することにより、利用者の訪問を支援する装置である。
図１は、本実施形態に係る訪問支援装置１の概略機能構成の一例を示すブロック図である。
訪問支援装置１は、例えば、パーソナルコンピュータ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）またはＰＤＡ（Ｐｅｒｓｏｎａｌ  Ｄｉｇｉｔａｌ  Ａｓｓｉｓｔａｎｔ）などである。訪問支援装置１は、入力部１１０と、表示部１２０と、検出部１３０と、記憶部１４０と、制御部１５０と、を備える。
【００１４】
入力部１１０は、利用者から各種情報の入力を受け付ける。入力部１１０は、例えば、マウス、キーボード、またはタッチパネルなどの入力装置を備える。入力部１１０が受け付ける操作の内容は、例えば、ＧＵＩ（Ｇｒａｐｈｉｃａｌ  Ｕｓｅｒ  Ｉｎｔｅｒｆａｃｅ）として、表示部１２０が備える表示装置により表示される。入力部１１０は、例えば、通信用インターフェイスを備え、外部装置の記憶部に予め記憶されている各種情報を受信して受け付けてもよい。
【００１５】
表示部１２０は、各種情報を表示する。表示部１２０は、例えば、液晶ディスプレイや有機ＥＬ（Ｅｌｅｃｔｒｏ−Ｌｕｍｉｎｅｓｃｅｎｃｅ）ディスプレイなどの表示装置を備える。
【００１６】
検出部１３０は、自装置の現在位置を示す位置情報を検出する。ここで、位置情報とは、位置を一意に識別する情報であり、例えば、緯度、経度、および高度などの数値により表される座標情報である。また、位置情報は、文字列により位置を一意に識別する情報であってもよく、例えば、住所、建築物の名称、建築物の入居者の名称、建築物内におけるフロアの名称、部屋の名称、通路の名称、または地点の名称などであってもよい。また、これら数値により表される位置情報と文字列により表される位置情報とは、相互に変換可能であってもよい。この場合、訪問支援装置１は、数値により表される位置情報と文字列により表される位置情報とを対応付けた情報を参照し、当該変換を行ってもよい。以下では、自装置の現在位置を示す位置情報を自装置の位置情報と称することがある。
【００１７】
検出部１３０による位置情報の検出には、様々な態様が適用される。検出部１３０は、例えば、ＧＰＳ（Ｇｌｏｂａｌ  Ｐｏｓｉｔｉｏｎｉｎｇ  Ｓｙｓｔｅｍ；全地球測位システム）センサを備え、訪問支援装置１の緯度、経度および高度の位置情報を検出する。また、検出部１３０は、例えば、アンテナを備え、アンテナを介して受信した電磁波に基づいて、位置情報を検出する。より具体的には、検出部１３０は、例えば、受信した電磁波が含む情報を解析することにより当該電磁波の送信元の装置を特定し、特定した送信元の装置の位置に基づいて、自装置の位置情報を検出する。この場合、訪問支援装置１は、例えば、送信元の装置ごとの位置情報を予め記憶する。
【００１８】
また、検出部１３０は、例えば、撮像装置を備え、撮像した画像に位置情報と対応付けられたマーカーが含まれる場合に、当該マーカーに基づいて自装置の位置情報を検出する。より具体的には、検出部１３０は、バーコードや二次元コードなど、位置情報と対応付けられたマーカーを撮像した画像から当該マーカーを画像処理により検出することにより、自装置の位置情報を検出する。また、検出部１３０は、例えば、ＲＦＩＤ（Ｒａｄｉｏ  Ｆｒｅｑｕｅｎｃｙ  ＩＤｅｎｔｉｆｉｃａｔｉｏｎ）通信部を備え、位置情報と対応付けられマーカーとしてＩＣ（Ｉｎｔｅｇｒａｔｅｄ  Ｃｉｒｃｕｉｔ；集積回路）を検出することにより、自装置の位置情報を検出する。このような位置情報と対応付けられたマーカーを検出する場合、訪問支援装置１は、マーカーごとの位置情報を予め記憶し、マーカーの識別情報から位置情報を参照してもよいし、マーカー自体が格納する位置情報を解析して取得してもよい。以下では、検出部１３０がＧＰＳセンサを備え、緯度および経度の位置情報を検出する例について説明する。
【００１９】
記憶部１４０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、またはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）などを備える。また、記憶部１４０は、ＨＤＤ（Ｈａｒｄ  Ｄｉｓｃ  Ｄｒｉｖｅ）、フラッシュメモリーなどの外部記憶装置を備えてよい。記憶部１４０は、訪問支援装置１が備えるＣＰＵが実行するための各種プログラムやＣＰＵが実行した処理の結果などを記憶する。
記憶部１４０は、地図データ記憶部１４１と、訪問先位置情報記憶部１４２と、訪問情報記憶部１４３と、を備える。
地図データ記憶部１４１は、地図を表示させるための地図データを記憶する。
【００２０】
訪問先位置情報記憶部１４２は、訪問先の位置情報を含む訪問先位置情報を記憶する。
図２は、訪問先位置情報の一例を示す図である。
この図に示される例において、訪問先位置情報は、訪問先名称、住所、緯度経度、訪問先名称の項目は、訪問先を識別する訪問先識別情報を表す。住所の項目は、訪問先の住所を表す。また、住所の項目は、文字列により表される訪問先の位置情報の一例である。緯度経度の項目は、訪問先の所在地の緯度経度を表す。また、緯度経度の項目は、数値により表される訪問先の位置情報の一例である。
【００２１】
この図に示される例において、訪問先位置情報記憶部１４２には、複数の訪問先位置情報が記憶されている。この図の最上段に示される訪問先位置情報は、訪問先名称の値が「Ａ社」であり、住所の値が「東京都新宿区ｘｘｘ」であり、緯度経度の値が「ｘｘｘ，ｘｘｘ」である。すなわち、この訪問先位置情報は、「Ａ社」という名称の訪問先の住所が「東京都新宿区ｘｘｘ」であり、緯度と経度とが「ｘｘｘ，ｘｘｘ」である位置に所在することを表す。
【００２２】
訪問情報記憶部１４３は、訪問先への訪問に関する時間情報と、訪問先への訪問がなされたか否かの情報とを含む訪問情報を記憶する。
図３は、訪問情報の一例を示す図である。
訪問情報は、訪問先名称、最終訪問日、訪問間隔、次回訪問期限、および訪問判定フラグの各項目を有し、項目それぞれについて値を有する。訪問先名称の項目は、訪問先を識別する訪問先識別情報を表す。訪問先名称の項目は、訪問先位置情報と訪問情報とにおいて共通する情報を表す。そのため、訪問先位置情報と訪問情報とが有する情報は、訪問先名称の値を介して対応付けられている。訪問先の最終訪問日の項目は、訪問先への訪問が行われた最後の日付を表す。訪問間隔の項目は、訪問先に訪問すべき頻度を表す。次回訪問期限の項目は、訪問先への訪問の期限を表す。ここで、最終訪問日、訪問間隔、および次回訪問期限の項目が表す情報は、訪問先を示す情報に関連付けられた情報であって、当該訪問先への訪問に関する時間情報の一例である。訪問判定フラグの項目は、訪問先への訪問がなされたか否かを表す。
【００２３】
この図に示される例において、訪問情報記憶部１４３は、複数の訪問情報を記憶する。この図の最上段に示される訪問情報は、訪問先名称の値が、「Ａ社」であり、最終訪問日の値が「２０１４／０２／１６」であり、訪問間隔の値が「３月」であり、次回訪問期限の値が「２０１４／０５／１６」であり、訪問判定フラグの値が「ＦＡＬＳＥ」である。すなわち、この訪問情報は、利用者が「Ａ社」という名称の訪問先に、「３月」に１度訪問することにしており、当該訪問先に最後に訪問した日付が２０１４年２月１６日であるため、次回は２０１４年５月１６日までに訪問しなくてはならないことを表す。また、この訪問情報は、「Ａ社」という名称の訪問先は、訪問がなされていない「ＦＡＬＳＥ」の状態であると判定されていることを表す。
【００２４】
また、この図の第４段に示される訪問情報は、訪問先名称の値が、「Ｄ社」であり、最終訪問日の値が「２０１４／０４／１３」であり、訪問間隔の値が「３月」であり、次回訪問期限の値が「２０１４／０７／１３」であり、訪問判定フラグの値が「ＴＲＵＥ」である。すなわち、この訪問情報は、利用者が、「Ｄ社」という名称の訪問先に、「３月」に１度訪問することにしており、当該訪問先に最後に訪問した日付が２０１４年４月１３日であるため、次回は２０１４年７月１３日までに訪問しなくてはならないことを表す。また、この訪問情報は、「Ｄ社」という名称の訪問先は、訪問がなされた「ＴＲＵＥ」の状態であると判定されていることを表す。
【００２５】
図１に戻り、説明を続ける。
制御部１５０は、地図取得部１５１と、訪問先位置取得部１５２と、時間取得部１５３と、自装置位置取得部１５４と、判定部１５５と、表示制御部１５６と、を備える。
地図取得部１５１は、入力部１１０を介して地図データを取得し、取得した地図データを地図データ記憶部１４１に記憶させる。
訪問先位置取得部１５２は、入力部１１０を介して、訪問先位置情報を取得し、取得した訪問先位置情報を訪問先位置情報記憶部１４２に記憶させる。
時間取得部１５３は、入力部１１０を介して、訪問先への訪問に関する時間情報を取得し、取得した時間情報を訪問情報記憶部１４３に記憶させる。
自装置位置取得部１５４は、検出部１３０を介して、自装置の位置情報を取得し、取得した自装置の位置情報を判定部１５５に出力する。
【００２６】
判定部１５５は、訪問先位置情報記憶部１４２から訪問先位置情報を取得する。また、判定部１５５は、自装置位置取得部１５４から自装置の位置情報を取得する。判定部１５５は、取得した訪問先位置情報と自装置の位置情報とに基づいて、訪問先への訪問がなされたか否かを判定する訪問判定処理を行う。この訪問判定処理において、訪問先への訪問がなされたと判定した場合、判定部１５５は、当該訪問先に関する訪問情報が有する訪問判定フラグの値を「ＴＲＵＥ」に更新する。また、判定部１５５は、当該訪問先に関する訪問情報が有する最終訪問日の値を現在の日付に更新し、次回訪問期限の値を現在の日付から訪問間隔の値の時間が経過した日付に更新する。
【００２７】
訪問判定処理において、判定部１５５は、距離に基づいて訪問先への訪問がなされたか否かを判定する。具体的には、判定部１５５は、訪問先の位置と自装置の位置との距離が所定の距離以下であるか否かを判定することにより、訪問がなされたか否かを判定する。なお、訪問判定処理において、判定部１５５は、距離に加え滞在時間に基づいて訪問先への訪問がなされたか否かを判定してもよい。具体的には、判定部１５５は、訪問先の位置と自装置の位置との距離が、所定の時間以上、所定の距離以下であるか否かを判定することにより、訪問がなされたか否かを判定してもよい。また、訪問判定処理において、位置情報として文字列により位置を一意に識別する情報を利用する場合、判定部１５５は、訪問先の位置情報としての文字列と自装置の位置情報としての文字列とが一致するか否かを判定することにより、訪問がなされたか否かを判定してもよい。このように、判定部１５５は、訪問先の位置情報と自装置の位置情報との数値同士または文字列同士を比較することにより、訪問判定処理を行う。
【００２８】
なお、訪問先の位置情報および自装置の位置情報のうち一方が数値により表され、他方が文字列により表される場合、判定部１５５は、数値により表される位置情報を文字列により表される位置情報に変換した後、または、文字列により表される位置情報を数値により表される位置情報に変換した後に、数値または文字列のいずれかに基づく訪問判定処理を行ってもよい。
【００２９】
また、判定部１５５は、以前に訪問がなされたと判定した訪問先について、当該判定をリセットし、訪問がなされていないと判定する未訪問判定処理を、例えば、定期的に行う。未訪問判定処理において、判定部１５５は、例えば、最終訪問日からの経過日数が１月など所定の期間以上か否かを判定し、最終訪問日からの経過日数が所定の期間以上である場合に、訪問がなされていないと判定する。また、例えば、判定部１５５は、最終訪問日からの経過日数が訪問間隔の半分以上の時間であるか否かを判定し、最終訪問日からの経過日数が訪問間隔の半分以上の時間である場合に、訪問がなされていないと判定する。また、判定部１５５は、次回訪問期限までの日数が所定の期間未満か否かを判定し、次回訪問期限までの日数が所定の期間未満である場合に、訪問がなされていないと判定する。訪問がなされていないと判定した場合、判定部１５５は、当該訪問先に関する訪問情報が有する訪問判定フラグの値を「ＦＡＬＳＥ」に更新する。
【００３０】
表示制御部１５６は、地図データ記憶部１４１から地図データを取得する。また、表示制御部１５６は、訪問先位置情報記憶部１４２から訪問先位置情報を取得する。また、表示制御部１５６は、訪問情報記憶部１４３から訪問情報を取得する。表示制御部１５６は、地図データに基づいて地図の画像を生成する。表示制御部１５６は、訪問先位置情報に基づいて、地図の画像上における訪問先の位置を特定する。特定した訪問先の位置に対し、表示制御部１５６は、当該訪問先への訪問がなされたか否かの情報を訪問情報が有する訪問判定フラグの値に基づいて区別可能に示す画像を生成する。表示制御部１５６は、表示部１２０に生成した画像を表示させる。
【００３１】
図４は、訪問支援装置１による訪問判定処理の流れの一例を示すフローチャートである。
まず、判定部１５５は、訪問先位置情報記憶部１４２から訪問先位置情報を取得する（ステップＳ１０１）。次に、判定部１５５は、検出部１３０が検出した自装置の位置情報を自装置位置取得部１５４を介して取得する（ステップＳ１０２）。次に、判定部１５５は、訪問先位置情報と自装置の位置情報とに基づいて、訪問がなされたか否かを判定する（ステップＳ１０３）。
【００３２】
訪問がなされていないと判定した場合（ステップＳ１０３；ＮＯ）、判定部１５５は、ステップＳ１０２に処理を戻す。訪問がなされたと判定した場合（ステップＳ１０３；ＹＥＳ）、判定部１５５は、訪問がなされたと判定した訪問先に関する訪問情報を更新する（ステップＳ１０４）。具体的には、まず、判定部１５５は、訪問情報記憶部１４３から訪問情報を取得する。判定部１５５は、当該訪問情報が有する訪問判定フラグの値を「ＴＲＵＥ」に書き換える。また、判定部１５５は、当該訪問情報が有する最終訪問日、訪問間隔、および次回訪問期限の情報を現在の日付に基づいて書き換える。そして、判定部１５５は、書き換えた訪問情報を訪問情報記憶部１４３に記憶させることにより、訪問情報を更新する。その後、判定部１５５は、ステップＳ１０２に処理を戻す。
【００３３】
図５は、訪問支援装置１による表示の態様の第１例を示す図である。
この図に示される例において、表示部１２０は、その表示領域の全面に地図を表示する。また、表示部１２０は、現在の日付５０１と、地図の拡大縮小率調節用のバー５０２と、地図のスケール５０３とを表示する。また、表示部１２０は、地図上の１つ以上の任意の数の訪問先の位置に訪問先に関する情報を表示する。以下では、表示部１２０は、一例として、地図上の５つの訪問先の位置に、当該訪問先に関する情報を表示するものとして説明する。これら５つの訪問先に関する情報は、一例として、図２に示される訪問先位置情報と、図３に示される訪問情報と基づいて生成されている。
【００３４】
表示部１２０は、例えば、５つの訪問先の位置に当該訪問先名称を表示する。表示制御部１５６は、例えば、訪問先位置情報が有する住所または緯度経度の値に基づいて、地図データが示す地図上の訪問先を示す位置を特定し、当該特定した位置に訪問先位置情報が有する訪問先名称の値を表示させる。また、例えば、表示部１２０は、地図上の５つの訪問先について、訪問先への訪問先に関する時間情報を、当該訪問先への訪問がなされているか否かに応じて異なる態様で表示する。この図に示される例において、訪問がなされた訪問先への訪問に関する時間情報５１１〜５１３は、実線により表される。また、訪問がなされていない訪問先への訪問に関する時間情報５１４、５１５は、破線により表される。表示制御部１５６は、訪問情報が有する訪問判定フラグの値に基づいて、訪問に関する時間情報を異なる態様で表示させる。
【００３５】
また、この図に示される例において、表示部１２０は、訪問先への訪問に関する時間情報として、訪問先を訪問すべき期限までの時間を表示する。表示制御部１５６は、訪問情報が有する次回訪問期限の値を参照し、参照した値が示す日付と現在の日付との差を算出することにより訪問先を訪問すべき期限までの時間を取得し、取得した時間に基づいて時間情報５１１〜５１５を表示させる。
【００３６】
この図に示される例において、例えば、表示部１２０は、符号５１１に示されるように、地図上の「Ａ社」の位置に、実線により囲まれた「３日」の文字を表示している。すなわち、この情報は、「Ａ社」への訪問がまだなされておらず、「３日」以内に訪問しなければならないことを表す。また、この図に示される例において、例えば、表示部１２０は、符号５１４に示されるように、地図上の「Ｄ社」の位置に、破線により囲まれた「２月」の文字を表示している。すなわち、この情報は、「Ｄ社」への訪問がなされており、次回は「２月」以内に訪問すればよいことを表す。
【００３７】
図６は、訪問支援装置１による表示の態様の第２例を示す図である。
この図に示される例において、表示部１２０は、図５に示される例と同様の情報を表示するが、訪問先への訪問に関する時間情報の内容が図５に示される例とは異なっている。具体的には、この図に示される例において、表示部１２０は、訪問がなされていないと判定した訪問先への訪問に関する時間情報として、訪問先を訪問すべき期限日を表示する。また、表示部１２０は、訪問がなされたと判定した訪問先への訪問に関する時間情報として、訪問先を最後に訪問した日付を表示する。この一例において、表示制御部１５６は、訪問情報の訪問判定フラグの値が「ＦＡＬＳＥ」である訪問情報を参照し、次回訪問期限の値を取得する。また、表示制御部１５６は、訪問情報の訪問判定フラグの値が「ＴＲＵＥ」である訪問情報を参照し、最終訪問日の値を取得する。表示制御部１５６は、取得した値に基づく情報を、訪問先位置情報に基づいて特定した訪問先の位置に、当該訪問先への訪問に関する時間情報として表示させる。
【００３８】
この図に示される例において、例えば、表示部１２０は、符号５２１に示されるように、地図上の「Ａ社」の位置に、実線により囲まれた「５／１６」の文字を表示している。すなわち、この情報は、「Ａ社」への訪問がまだなされておらず、５月１６日までに訪問しなければならないことを表す。また、この図に示される例において、例えば、表示部１２０は、符号５２４に示されるように、地図上の「Ｄ社」の位置に、破線により囲まれた「４／１３」の文字を表示している。すなわち、この情報は、「Ｄ社」への訪問が４月１３日になされたことを表す。
【００３９】
図７は、訪問支援装置１による表示の態様の第３例を示す図である。
この図に示される例において、表示部１２０は、その表示領域の全面に建物の構内地図を表示する。また、表示部１２０は、地図上に、４つの訪問先に関する情報を表示する。この図に示される例において、表示部１２０は、各訪問先への訪問がなされているか否かに応じて、地図上の各訪問先を示す位置に異なる情報を表示する。具体的には、表示部１２０は、訪問がなされた訪問先の位置には、訪問が完了したことを表す情報５３１を表示する。また、訪問がなされていない訪問先の位置には、訪問予定時刻を表す情報５３２〜５３４を表示する。
【００４０】
この図に示される例において、例えば、表示部１２０は、符号５３１に示されるように、地図上の「Ａ地点」の位置に、「完了」の文字を表示している。すなわち、この情報は、「Ａ地点」への訪問がなされていることを表す。また、この図に示される例において、例えば、表示部１２０は、符号５３２に示されるように、地図上の「Ｂ地点」の位置に、「１３：１０」の文字を表示している。すなわち、この情報は、「Ｂ地点」への訪問がまだなされておらず、１３時１０分までに訪問しなければならないことを表す。
【００４１】
以上説明したように、本実施形態に係る訪問支援装置１は、自装置の現在位置を示す位置情報を取得する自装置位置取得部１５４と、訪問先の位置情報を取得する訪問先位置取得部１５２と、記憶部１４０に予め記憶されている地図データを取得する地図取得部１５１と、自装置位置取得部１５４が取得した自装置の位置情報と、訪問先位置取得部１５２が取得した訪問先の位置情報とに基づいて、当該訪問先への訪問がなされたか否かを判定する判定部１５５と、訪問先位置取得部１５２が取得した訪問先の位置情報と、判定部１５５による当該訪問先への訪問についての判定結果とに基づいて、地図取得部１５１が取得した地図データに基づく地図画像上の当該訪問先を示す位置に当該訪問先への訪問がなされたか否かの情報を表示部１２０に表示させる表示制御部１５６と、を備える。
これにより、訪問支援装置１は、地図上の訪問先の位置に当該訪問先への訪問がなされたか否かの情報を表示する。そのため、利用者は、地図により訪問先の位置関係を容易に把握することができ、かつ、各訪問先を訪問したか否かを容易に把握することができる。従って、訪問支援装置１は、利用者の訪問効率を向上させることができる。
【００４２】
また、訪問支援装置１は、訪問先を示す情報に関連付けられた情報であって、当該訪問先への訪問に関する時間情報を取得する時間取得部１５３、をさらに備え、表示制御部１５６は、訪問先位置取得部１５２が取得した訪問先の位置情報と、時間取得部１５３が取得した時間情報のうち当該訪問先に関連付けられている時間情報とに基づいて、当該訪問先の地図上の位置に当該訪問先への訪問に関する時間情報を表示部１２０に表示させる。
これにより、訪問支援装置１は、地図により訪問先の位置関係を容易に把握することができ、かつ、各訪問先への訪問期限や訪問期限までの時間、最終訪問日などの時間情報を容易に把握することができる。従って、訪問支援装置１は、利用者の訪問効率を向上させることができる。
【００４３】
また、訪問支援装置１は、位置情報と関連付けられているマーカーを検出することにより自装置の現在位置を示す位置情報を検出する検出部１３０、をさらに備え、自装置位置取得部１５４は、検出部１３０が検出した自装置の現在位置を示す位置情報を取得する。
これにより、訪問支援装置１は、例えば、建築物の内部など電波を介した通信が難しい場合であっても、自装置の位置情報を検出し、各訪問先への訪問がなされたか否かを適切に判定する。従って、訪問支援装置１は、利用者の訪問効率を向上させることができる。
【００４４】
また、本実施形態に係る訪問支援方法は、訪問支援装置１が、自装置の現在位置を示す位置情報を取得する自装置位置取得過程と、訪問支援装置１が、訪問先の位置情報を取得する訪問先位置取得過程と、訪問支援装置１が、地図データを取得する地図取得過程と、訪問支援装置１が、自装置位置取得過程において取得した自装置の位置情報と、訪問先位置取得過程において取得した訪問先の位置情報とに基づいて、当該訪問先への訪問がなされたか否かを判定する判定過程と、訪問支援装置１が、訪問先位置取得過程において取得した訪問先の位置情報と、判定過程における当該訪問先への訪問についての判定結果とに基づいて、地図取得過程において取得した地図データに基づく地図画像上の当該訪問先を示す位置に当該訪問先への訪問がなされたか否かの情報を表示部１２０に表示させる表示制御過程と、を含む。
これにより、訪問支援方法は、訪問支援装置１と同様の効果を奏し、訪問支援方法は、利用者の訪問効率を向上させることができる。
【００４５】
また、本実施形態に係るプログラムは、訪問支援装置１のコンピュータに、自装置の現在位置を示す位置情報を取得する自装置位置取得手順、訪問先の位置情報を取得する訪問先位置取得手順、地図データを取得する地図取得手順、自装置位置取得手順において取得した自装置の位置情報と、訪問先位置取得手順において取得した訪問先の位置情報とに基づいて、当該訪問先への訪問がなされたか否かを判定する判定手順、訪問先位置取得手順において取得した訪問先の位置情報と、判定手順における当該訪問先への訪問についての判定結果とに基づいて、地図取得手順において取得した地図データに基づく地図画像上の当該訪問先を示す位置に当該訪問先への訪問がなされたか否かの情報を表示部１２０に表示させる表示制御手順、を実行させる。
これにより、プログラムは、訪問支援装置１と同様の効果を奏し、プログラムは、利用者の訪問効率を向上させることができる。
【００４６】
［第２の実施形態］
以下、図面を参照しながら本発明の第２の実施形態について説明する。
本実施形態に係る訪問支援システムは、第１の実施形態に係る訪問支援装置１と同様に、地図上の訪問先の位置に当該訪問先への訪問がなされたか否かの情報を表示することにより、利用者の訪問を支援する機能を有するシステムである。本実施形態に係る訪問支援システム２は、複数の装置を備え、当該複数の装置には、第１の実施形態に係る訪問支援装置１が備える各種機能が当該複数の装置に分離して備えらている点において、第１の実施形態と第２の実施形態とは相違する。
図８は、本実施形態に係る訪問支援システム２の概略機能構成の一例を示すブロック図である。
訪問支援システム２は、データ管理装置２０と、訪問支援装置３０と、を備える。データ管理装置２０と訪問支援装置３０とは、ネットワークに接続され、互いに通信する。
【００４７】
当該ネットワークは、ＷＡＮ（Ｗｉｄｅ  Ａｒｅａ  Ｎｅｔｗｏｒｋ）およびＬＡＮ（Ｌｏｃａｌ  Ａｒｅａ  Ｎｅｔｗｏｒｋ）などによって構成される情報通信ネットワークである。ＷＡＮは、例えば、携帯電話網、ＰＨＳ（Ｐｅｒｓｏｎａｌ  Ｈａｎｄｙ−ｐｈｏｎｅ  Ｓｙｓｔｅｍ）網、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）、専用通信回線網、およびＶＰＮ（Ｖｉｒｔｕａｌ  Ｐｒｉｖａｔｅ  Ｎｅｔｗｏｒｋ）などによって構成される。
【００４８】
データ管理装置２０は、例えば、サーバ装置であり、通信部２１０と、記憶部２４０と、通信制御部２５０と、を備える。
通信部２１０は、通信用インターフェイスを備え、ネットワークを介して訪問支援装置３０との通信を行う。
記憶部２４０は、例えば、ＲＯＭ、ＲＡＭ、またはＥＥＰＲＯＭなどを備える。また、記憶部２４０は、ＨＤＤ、フラッシュメモリーなどの外部記憶装置を備えてよい。記憶部２４０は、データ管理装置２０が備えるＣＰＵが実行するための各種プログラムやＣＰＵが実行した処理の結果などを記憶する。
また、記憶部２４０は、地図データ記憶部２４１と、訪問先位置情報記憶部２４２と、を備える。地図データ記憶部２４１および訪問先位置情報記憶部２４２が備える構成は、それぞれ、第１の実施形態に係る地図データ記憶部１４１および訪問先位置情報記憶部１４２が備える構成と同様のため、説明を省略する。
【００４９】
通信制御部２５０は、通信部２１０を介して訪問支援装置３０と各種情報を通信する。通信制御部２５０は、訪問支援装置３０から地図データの取得要求を取得すると、地図データ記憶部２４１から地図データを読み出す。通信制御部２５０は、読み出した地図データを訪問支援装置３０に送信する。また、通信制御部２５０は、訪問支援装置３０から訪問先位置情報の取得要求を取得すると、訪問先位置情報記憶部２４２から訪問先位置情報を読み出す。通信制御部２５０は、読み出した訪問先位置情報を訪問支援装置３０に送信する。
【００５０】
訪問支援装置３０は、例えば、パーソナルコンピュータ、携帯電話、タブレット、スマートフォン、ＰＨＳ端末装置またはＰＤＡなどである。訪問支援装置１は、入力部３１０と、通信部３１１と、表示部３２０と、検出部３３０と、記憶部３４０と、制御部３５０と、を備える。
【００５１】
入力部３１０、表示部３２０、および検出部３３０が備える構成は、それぞれ、第１の実施形態に係る入力部１１０、表示部１２０、および検出部１３０が備える構成と同様であるため、説明を省略する。
通信部３１１は、通信用インターフェイスを備え、ネットワークを介してデータ管理装置２０との通信を行う。
【００５２】
記憶部３４０は、例えば、ＲＯＭ、ＲＡＭ、またはＥＥＰＲＯＭなどを備える。また、記憶部３４０は、ＨＤＤ、フラッシュメモリーなどの外部記憶装置を備えてよい。記憶部３４０は、訪問支援装置３０が備えるＣＰＵが実行するための各種プログラムやＣＰＵが実行した処理の結果などを記憶する。
また、記憶部３４０は、訪問情報記憶部３４３を備える。訪問情報記憶部３４３が備える構成は、それぞれ、第１の実施形態に係る訪問情報記憶部１４３が備える構成と同様のため、説明を省略する。
【００５３】
制御部３５０は、地図取得部３５１と、時間取得部３５３と、訪問先位置取得部３５２と、自装置位置取得部３５４と、判定部３５５と、表示制御部３５６と、を備える。
地図取得部３５１は、通信部３１１を介してデータ管理装置２０に地図データの取得要求を送信する。地図取得部３５１は、地図データの取得要求に応じてデータ管理装置２０から送信された地図データを取得し、取得した地図データを表示制御部３５６に出力する。
時間取得部３５３は、入力部３１０を介して、訪問先への訪問に関する時間情報を取得し、取得した時間情報を訪問情報記憶部３４３に記憶させる。
【００５４】
訪問先位置取得部３５２は、通信部３１１を介してデータ管理装置２０に訪問先位置情報の取得要求を送信する。訪問先位置取得部３５２は、訪問先位置情報の取得要求に応じてデータ管理装置２０から送信された訪問先位置情報を取得し、取得した訪問先位置情報を判定部３５５と表示制御部３５６とに出力する。
自装置位置取得部３５４は、検出部３３０を介して、自装置の位置情報を取得し、取得した自装置の位置情報を判定部３５５に出力する。
【００５５】
判定部３５５は、訪問先位置取得部３５２から訪問先位置情報を取得する。また、判定部３５５は、自装置位置取得部３５４から自装置の位置情報を取得する。判定部３５５は、取得した訪問先位置情報と自装置の位置情報とに基づいて、第１の実施形態に係る判定部１５５と同様に、訪問判定処理を行う。また、判定部３５５は、第１の実施形態に係る判定部１５５と同様に、未訪問判定処理を行う。判定部３５５は、これら判定処理の結果に基づいて、訪問情報記憶部３４３が記憶する訪問情報を更新する。
【００５６】
表示制御部３５６は、地図取得部３５１から地図データを取得する。また、表示制御部３５６は、訪問先位置取得部３５２から訪問先位置情報を取得する。また、表示制御部３５６は、訪問情報記憶部３４３から訪問情報を取得する。表示制御部３５６は、取得した各種情報に基づいて、第１の実施形態に係る表示制御部１５６と同様の画像を生成し、生成した画像を表示部３２０に表示させる。
【００５７】
以上説明したように、訪問支援システム２は、地図上の訪問先の位置に当該訪問先への訪問がなされたか否かの情報を表示する。これにより、訪問支援システム２は、第１の実施形態に係る訪問支援装置１と同様の効果を奏する。このように、訪問支援装置１の有する任意の構成は、少なくとも１つの別の装置に備えられていてもよく、訪問支援装置１が有する機能は、当該別の装置との通信を介したシステムとして実現されてもよい。例えば、第２の実施形態において、地図データ記憶部２４１に相当する構成が、データ管理装置２０および訪問支援装置３０とは別の装置に備えられてもよい。
【００５８】
また、例えば、訪問情報記憶部１４３、判定部１５５、および表示制御部１５６は、訪問支援装置１とは別の装置に備えられてもよい。具体的には、第２の実施形態において、データ管理装置２０が訪問情報記憶部１４３、判定部１５５、および表示制御部１５６と同様の構成を備える代わりに、訪問支援装置３０が訪問情報記憶部３４３、判定部３５５、および表示制御部３５６を備えない構成としてもよい。そして、これらの機能部に係る情報の伝達は、データ管理装置２０と訪問支援装置３０との通信により実現されてもよい。この場合、データ管理装置２０が記憶する訪問情報は、複数の訪問支援装置３０により更新可能としてもよい。これにより、複数の訪問支援装置３０が同一の訪問情報を共有するため、当該複数の訪問支援装置３０各々の利用者各々は、当該複数の利用者による訪問先への訪問に関する情報を確認することができる。従って、訪問支援システム２は、例えば、複数の利用者がグループで訪問を行う場合であっても、利用者の訪問効率を向上させることができる。なお、この場合、訪問支援システム２は、訪問を行った利用者を識別する情報を保持し、訪問支援装置３０は、当該情報を訪問先と対応付けて表示してもよい。
【００５９】
なお、上述した各実施形態において、判定部１５５、３５５による訪問判定処理および未訪問判定処理の流れは、上述したものに限定されない。判定部１５５、３５５は、入力部１１０、３１０を介して、利用者から訪問したか否かの入力を受け付け、当該受け付けた入力に基づいて、訪問がなされたか否かを判定してもよい。
【００６０】
なお、上述した各実施形態において、表示部１２０による表示の態様は、上述したものに限られない。例えば、表示部１２０は、図５、図６、および図７を用いて説明した異なる態様の時間情報を同時に表示させてもよい。また、例えば、表示部１２０が表示する訪問先への訪問に関する情報の意匠は、上述したものに限られない。また、実線や破線などの線種の他、訪問先への訪問に関する情報の意匠は、大きさ、色、明暗、または透明度など任意の視覚的効果を用いて情報が表す内容ごとに区別可能に表されてもよい。
【００６１】
なお、上述した各実施形態において、訪問支援装置１、データ管理装置２０、および訪問支援装置３０が管理する情報は、上述したものに限定されない。具体的には、訪問情報は、所定期間内に訪問するべき回数の項目などを有してもよい。所定期間内に訪問するべき回数の項目は、訪問先に訪問すべき頻度を表す情報の別例であり、かつ、時間情報の一例である。所定期間内に訪問するべき回数の値は、例えば、１年に４回、２月に２回など期間と回数とによって表される。所定期間内に訪問するべき回数の値は、訪問間隔の値と同様に、判定部１５５、３５５による処理に利用されてもよい。例えば、判定部１５５、３５５は、次回訪問期限の値の更新において、訪問情報を参照し、所定期間内に訪問するべき回数の値を参照してもよい。このとき判定部１５５、３５５は、当該所定期間内に訪問するべき回数の値のうち、期間の値を回数の値で除算した値を訪問間隔の値として用いてもよいし、当該所定期間内に訪問するべき回数の値のうちの期間の値を訪問間隔の値としてもよい。そして、当該訪問間隔の値を現在の日付に加えることにより次回訪問期限を算出してもよい。所定期間内に訪問するべき回数の値は、例えば、時間取得部１５３、３５３により取得される。表示部１２０、３２０は、所定期間内に訪問するべき回数の値に基づく表示を行ってもよい。表示部１２０、３２０は、例えば、次回訪問期限を示すとともに、所定期間内に訪問するべき回数の値のうちの回数の値を当該次回訪問期限に対応付けて表示してもよい。
【００６２】
なお、上述した各実施形態における訪問支援装置１、データ管理装置２０、および訪問支援装置３０の一部、例えば、制御部１５０、制御部３５０などの一部または全てをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、訪問支援装置１、データ管理装置２０、および訪問支援装置３０に内蔵されたコンピュータシステムであって、ＯＳ（Ｏｐｅｒａｔｉｎｇ  Ｓｙｓｔｅｍ）や周辺機器等のハードウェアを含むものとする。
【００６３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００６４】
また、上述した実施形態における訪問支援装置１、データ管理装置２０、および訪問支援装置３０の一部、または全部を、ＬＳＩ（Ｌａｒｇｅ  Ｓｃａｌｅ  Ｉｎｔｅｇｒａｔｉｏｎ）等の集積回路として実現してもよい。訪問支援装置１、データ管理装置２０、および訪問支援装置３０の各機能部は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６６】
１…訪問支援装置、１１０…入力部、１２０…表示部、１３０…検出部、１４０…記憶部、１４１…地図データ記憶部、１４２…訪問先位置情報記憶部、１４３…訪問情報記憶部、１５０…制御部、１５１…地図取得部、１５２…訪問先位置取得部、１５３…時間取得部、１５４…自装置位置取得部、１５５…判定部、１５６…表示制御部、２…訪問支援システム、２０…データ管理装置、２１０…通信部、２４０…記憶部、２４１…地図データ記憶部、２４２…訪問先位置情報記憶部、２５０…通信制御部、３０…訪問支援装置、３１０…入力部、３１１…通信部、３２０…表示部、３３０…検出部、３４０…記憶部、３４３…訪問情報記憶部、３５０…制御部、３５１…地図取得部、３５２…訪問先位置取得部、３５３…時間取得部、３５４…自装置位置取得部、３５５…判定部、３５６…表示制御部
【図１】
2015219661.tif 000003
【図２】
2015219661.tif 000004
【図３】
2015219661.tif 000005
【図４】
2015219661.tif 000006
【図５】
2015219661.tif 000007
【図６】
2015219661.tif 000008
【図７】
2015219661.tif 000009
【図８】
2015219661.tif 000010